(57)【要約】【課題】外部装置に撮影画像を転送した後も、その撮影画像を付属ディスプレイで確認できるようにする。【解決手段】記録媒体に記録されたデータから伝送すべきデータを指定し（ステップ２１０）、記録媒体から指定データを再生する（ステップ２０２）。指定されたデータを外部に出力する（ステップ２０３，２０４）。このとき、同時または順次処理で、再生データを伸長し（ステップ２０５）、ディスプレイサイズにあった画像サイズに変換し（ステップ２０６）、データ圧縮をして（ステップ２０７）、記録媒体に記録する（ステップ２０８）。そして、記録媒体から指定データを消去する（ステップ２０９）。【選択図】　図２
2004088455.tif 000002
【特許請求の範囲】
【請求項１】
画像データを入力する画像入力手段と、
前記画像入力手段より入力される画像データを圧縮するエンコード手段と、
前記エンコード手段よる圧縮画像データを記録媒体に記録するデータ記録手段と、
前記記録媒体に記録されるデータを再生するデータ再生手段と、
前記データ再生手段により再生された圧縮画像データを伸長して画像データに変換するデコード手段と、
外部装置にデータを伝送するインターフェース手段と、
画像データの画像サイズを変更するサイズ変更手段と、
画像データを表示するディスプレイ手段
とを具備する画像処理装置であって、
前記記録媒体に記録される指定データを再生すると共に、そのデータを前記インターフェース手段より本装置外へデータを伝送する場合に、前記記録媒体から再生されたデータを前記デコード手段により画像データに変換し、その画像データをサイズ変更手段により前記ディスプレイ手段の表示解像度と同等の画像サイズに変換し、サイズ変換した画像データをエンコード手段によって圧縮し、その圧縮データをデータ記録手段によって記録媒体に記録し、前記記録媒体に記録される前記指定データを記録媒体から消去することを特徴とする画像処理装置。
【請求項２】
画像データを入力する画像入力手段と、
前記画像入力手段より得られた画像データを圧縮するエンコード手段と、
前記エンコード手段よる圧縮画像データを記録媒体に記録するデータ記録手段と、
前記記録媒体に記録されたデータを再生するデータ再生手段と、
前記データ再生手段により再生された圧縮画像データを伸長して画像データに変換するデコード手段と、
データを外部の装置に伝送するインターフェース手段と、
画像データの画像サイズを変更するサイズ変更手段と、
画像データを表示するディスプレイ手段
とを具備する画像処理装置であって、
前記記録媒体に記録される指定データを消去する際に、前記記録媒体に記録された当該所定データを再生し、再生されたデータをデコード手段により画像データに変換し、その画像データを画素数変更手段によりディスプレイ手段の表示解像度と同等の画像サイズに変換し、サイズ変換した画像データをエンコード手段によって圧縮し、その圧縮データをデータ記録手段によって記録媒体に記録することを特徴とする画像処理装置。
【請求項３】
画像データを入力する画像入力手段と、
前記画像入力手段により得られた画像データを圧縮するエンコード手段と、
前記エンコード手段による圧縮画像データを記録媒体に記録するデータ記録手段と、
前記記録媒体に記録されたデータを再生するデータ再生手段と、
前記データ再生手段により再生されたデータを伸長して画像データに変換するデコード手段と、
データを外部の装置に伝送するインターフェース手段と
画像データのサイズを変更して新たな画像データを生成するサイズ変更手段と、
画像データを表示するディスプレイ手段
とを具備する画像処理装置であって、
前記記録媒体に記録された指定データを再生すると共に、そのデータを前記インターフェース手段より本装置外へデータを伝送する際に、前記記録媒体から再生されたデータの一部分を使用して、ディスプレイ手段の表示解像度と同等のサイズの画像データを生成し、データ記録手段によって記録媒体に記録し、前記記録媒体に記録された前記指定データを記録媒体から消去することを特徴とする画像処理装置。
【請求項４】
画像データを入力する画像入力手段と、
前記画像入力手段により得られた画像データを圧縮するエンコード手段と、
前記エンコード手段による圧縮画像データを記録媒体に記録するデータ記録手段と、
前記記録媒体に記録されたデータを再生するデータ再生手段と、
前記データ再生手段により再生されたデータを伸長して画像データに変換するデコード手段と、
データを外部の装置に伝送するインターフェース手段と
画像データのサイズを変更するサイズ変更手段と、
画像データを表示するディスプレイ手段
とを具備する画像処理装置であって、
前記記録媒体に記録された指定データを消去する際に、前記記録媒体から再生されたデータの一部分を使用して、ディスプレイ手段の表示解像度と同等の画像サイズのデータを生成し、データ記録手段によって記録媒体に記録することを特徴とする画像処理装置。
【請求項５】
ディスプレイ手段の表示解像度と同等の画像サイズに変換し、サイズ変換した画像データをエンコード手段によって圧縮し、その圧縮データをデータ記録手段によって記録媒体に記録したデータの総容量が所定の容量を超えた場合は、撮影日時の古いものから消去し、所定の容量を超えないように制御することを特徴とする請求光１乃至４の何れか１項に記載の画像処理装置。
【請求項６】
記録媒体から指定データを再生し、
再生データを外部装置に伝送し、
前記再生データを画像データに変換し、
その画像データを所定画像サイズに変換した上で圧縮し、
圧縮された画像データを前記記録媒体に記録し、
前記記録媒体から前記指定データを消去する
ことを特徴とする画像処理方法。
【請求項７】
記録媒体から指定データを再生し、
再生データを画像データに変換し、
その画像データを所定画像サイズに変換した上で圧縮し、
圧縮された画像データを前記記録媒体に記録し、
前記記録媒体から前記指定データを消去する
ことを特徴とする画像処理方法。
【請求項８】
記録媒体から指定データを再生し、
再生データを外部装置に伝送し、
前記再生データから所定画像サイズの圧縮画像データを生成し、
生成された圧縮画像データを前記記録媒体に記録し、
前記記録媒体から前記指定データを消去する
ことを特徴とする画像処理方法。
【請求項９】
記録媒体から指定データを再生し、
再生データから所定画像サイズの圧縮画像データを生成し、
生成された圧縮画像データを前記記録媒体に記録し、
前記記録媒体から前記指定データを消去する
ことを特徴とする画像処理方法。
【発明の詳細な説明】
【０００１】
【発明の属する技術分野】
本発明は、ディスク状記録媒体や固体メモリ記録媒体などのランダムアクセス可能な記録媒体に記録された画像ファイルを取り扱うシステム、特に記録媒体に記録された画像ファイルを消去した場合においても、今まで撮影した画像をプレビューするのに好適なシステムを構成する画像処理装置に関する。
【０００２】
【従来の技術】
撮影画像を複数の画像ファイルとしてディスク状の記録媒体に記録するデジタルディスクカメラが提案されている。また、撮影画像を複数の画像ファイルとして固体メモリに記録するデジタルカメラが提案されている。
【０００３】
これら従来の構成では、記録媒体の記録可能な容量が少なくなった場合に、空き容量のある記録媒体に替えるか、使用中の記録媒体の画像ファイルを他の記録媒体に移した後、使用中の記録媒体の画像ファイルを消去する方法が考えられている。また、使用中の記録媒体の画像ファイルを消去する前にサムネイル画像を使用中の記録媒体に残す方法も考えられている。
【０００４】
【発明が解決しようとする課題】
従来例では、記録媒体の画像ファイルを消去してしまうので、今まで撮影した画像は、他の記録媒体を用意しないとみることができないという課題がある。また、他の記録媒体の内容が、この撮影システムで読み取れない場合、他の装置を用意しないと今まで撮影した画像をみることができないという課題がある。使用中の記録媒体の画像ファイルを消去する前にサムネイル画像を使用中の記録媒体に残す方法では、通常のサムネイル画像のサイズ（画素数）が撮影装置のモニタサイズ（画素数）よりも小さいので、情報量が少なく画質が悪いという課題がある。
【０００５】
本発明は、このような課題を解決する画像処理装置を提示することを目的とする。
【０００６】
【課題を解決するための手段】
上記課題を解決するために、本発明は、前記記録媒体に記録された指定データを再生すると共に、そのデータをインターフェース手段より外部へ伝送する際に、記録媒体から再生されたデータをデコード手段により画像データに変換し、その画像データをサイズ（画素数）変更手段によりディスプレイ手段の表示解像度と同等の画像サイズ（画素数）に変換し、サイズ（画素数）変換した画像データをエンコード手段によって圧縮し、その圧縮データをデータ記録手段によって記録媒体に記録し、データの伝送が終了した後またはそれまでに、記録媒体に記録された前記指定データを消去することを特徴とする。
【０００７】
また、外部へデータを伝送せずに消去するだけの場合も、同様に処理をする。
【０００８】
画像データの圧縮方法が画像サイズに対してスケーラブルである場合には、圧縮されたデータをデコードしないで、記録媒体に記録するデータを生成してもよい。
【０００９】
【実施例】
以下、図面を参照して、本発明の実施例を詳細に説明する。
【００１０】
（第１実施例）
図１は、本発明の第１実施例の概略構成ブロック図を示す。１０１は撮影画像を画像信号１０２に変換し、出力するカメラ信号処理部、１０３は画像信号１０２または同１２１を圧縮し、圧縮画像データ１０４を出力するデータ圧縮部、１０５は圧縮画像データ１０４または同１１９を記録媒体１０７に記録するデータ記録処理部、１０９は記録媒体１０７からデータを再生し、再生データ１１０，１２０を出力するデータ再生処理部、１１１は、圧縮画像データ１１０，１１９を伸長するデータ伸長部、１１７はデータ１２０を外部に送信し、外部から受信したデータをデータ記録処理部１０５及びデータ伸長部１１１に供給するインターフェースである。
【００１１】
１１４は、カメラ信号処理部１０１の出力画像信号１０２及びデータ伸長部１１１から出力される画像信号１１２のサイズ（画素数）を変換する画像サイズ変換処理部、１１６は、画像サイズ変換処理部１１４から出力される画像データ１１５を画像表示する画像ディスプレイ部である。
【００１２】
システム制御回路１２２は、ユーザによる操作スイッチ１２４の操作及び動作モードに従い、データ圧縮部１０３、データ記録処理部１０５、データ再生処理部１０９、データ伸長部１１１、画像サイズ変換処理部１１４及びインターフェース１１７の動作を制御する。ユーザは、操作スイッチ１２４により、システム制御回路１２２に、以下に詳細に説明する記録再生、消去及びデータ伝送の各動作を指示する。
【００１３】
ここでは、説明上、カメラ信号処理部１０１から出力される画像データ１０２が、１２８０×１０２４画素からなり、画像ディスプレイ部１１６の表示能力が、３６０×２４０画素であるとする。
【００１４】
撮影画像の記録動作を説明する。カメラ処理部１０１は、撮影画像を１２８０×１０２４画素の画像データ１０２として出力する。画像サイズ変換処理部１１４は、画像データ１０２のサイズ（画素数）を画像ディスプレイ部１１６の表示画像サイズ（３６０×２４０画素）に変更し、画像ディスプレイ部１１６に印加する。これにより、撮影画像が画像ディスプレイ部１１６の画面上に表示される。データ圧縮部１０３は画像データ１０２を圧縮し、データ記録処理部１０５は、データ圧縮部１０３から出力される圧縮がゾウデータ１０４を記録媒体１０７に記録する。
【００１５】
記録媒体１０７に記録されている画像を再生する動作を説明する。
【００１６】
記録媒体１０７に記録されているデータは、データ再生処理部１０９により再生され、再生データ１１０は、データ伸長部１１１で伸長されて画像サイズ変換処理部１１４に印加される。データ書リブ１１１から出力される画像データ１１２の画像サイズは１２８０×１０２４画素であるとする。画像サイズ変換処理部１１４は、画像データ１１２の画像サイズを画像ディスプレイ部１１６の画像サイズ（３６０×２４０画素）に変更して画像ディスプレイ部１１６に印加する。これにより、再生画像が、画オズディスプレイ部１１６の画面上に表示される。再生データを外部装置に伝送する場合は、データ再生処理部１０９の出力データ１２０が、インターフェース１１７を介して外部に出力される。
【００１７】
記録媒体１０７に記録された画像データを外部の装置に伝送する場合の動作を説明する。このとき、外部に伝送した画像データを画像ディスプレイ部１１６の画像サイズ３６０×２４０画素へ変換して記録媒体１０７に記録し、記録媒体１０７から原データを消去する。
【００１８】
図２は、その処理手順のフローチャートを示す。記録媒体１０７に記録されたデータから伝送すべきデータを指定し（ステップ２１０）、記録媒体１０７から指定データを再生する（ステップ２０２）。指定されたデータを外部に出力する（ステップ２０３，２０４）。このとき、同時または順次処理で、再生データをデータ伸長部１１１により伸長し（ステップ２０５）、ディスプレイサイズにあった画像サイズ（３６０×２４０画素）へ変換し（ステップ２０６）、データ圧縮をして（ステップ２０７）、記録媒体１０７に記録する（ステップ２０８）。そして、記録媒体１０７から指定データを消去する（ステップ２０９）。消去のタイミングは、このように最後でもいいが、装置内のメモリに再生データを読み込んでしまえば、処理の途中でもよい。
【００１９】
次に、データの流れを説明する。記録媒体１０７に記録されているデータは、データ再生処理部１０９により再生される。再生データ１２０は、インターフェース１１７を介して外部装置に伝送される。また、再生データ１１０は、データ伸長部１１１で伸長され、１２８０×１０２４画素の画像データとして画像サイズ変換処理部１１４に出力される。画像サイズ変換処理部１１４は、画像データ１１２を３６０×２４０画素に変換して、画像データディスプレイ部１１６及びデータ圧縮部１０３に印加する。画像データディスプレイ部１１６は、再生された画像を表示する。データ圧縮部１０３は、３６０×２４０画素の画像データ１２１をデータ圧縮してデータ記録書リブ１０５に印加する。データ記録処理部１０５は、データ１０４を記録媒体１０７に記録する。そして、データ記録処理部１０５は、記録媒体１０７に記録されている外部に伝送されたデータを消去する。
【００２０】
このようにすることで、指定された画像ファイルは記録媒体１０７から消去され、ディスプレイ１１６のサイズ（画素数）にあった画像ファイルが記録媒体１０７に記録される。記録されたデータは、先で説明した「記録媒体に記録されている画像を再生する場合の動作」のように処理すれば、画像データディスプレイ部１１６の画面上に画像として表示できる。このとき、画像サイズ変換部１１４は、画像サイズを変換してもしなくてもどちらでもよい。
【００２１】
次に、図３に示すフローチャートを参照して、記録媒体１０７に記録された画像データを消去する場合の動作を説明する。記録媒体１０７から消去しようとする画像データは、画像ディスプレイ部１１６の画像サイズ（３６０×２４０画素）に変換されて、記録媒体１０７に記録される。
【００２２】
消去すべきデータを選択し（ステップ３０１）、指定されたデータを記録媒体１０７から再生する（ステップ３０２）。再生したデータをデータ伸長部１１１で伸長し（ステップ３０３）、画像ディスプレイ１１６の表示サイズにあった画像サイズ（３６０×２４０画素）に変換し（ステップ３０４）、データ圧縮をして（ステップ３０５）、記録媒体１０７に記録する（ステップ３０６）。そして、記録媒体１０７から指定データを消去する（Ｓステップ３０７）。消去のタイミングは、このように最後でもいいが、装置内のメモリに再生データを読み込んでしまえば、処理の途中でもよい。
【００２３】
データの流れを説明する。記録媒体１０７に記録されているデータは、データ再生処理部１０９により再生される。再生データ１１０は、データ伸長部１１１で伸長され、１２８０×１０２４画素の画像データとして画像サイズ変換処理部１１４に印加される。画像サイズ変換処理部１１４は、画像データ１１２のサイズを３６０×２４０画素へ変換して、画像データディスプレイ部１１６及びデータ圧縮部１０３に印加する。画像データディスプレイ部１１６は、再生された画像を表示する。データ圧縮部１０３は、３６０×２４０画素の画像データ１２１をデータ圧縮して、データ記録処理部１０５に印加する。データ記録処理部１０５は、圧縮画像データ１０４を記録媒体１０７に記録する。そして、データ記録処理部１０５は、記録媒体１０７に記録されている先に指定されたデータを消去する。
【００２４】
このようにすることで、指定された画像ファイルは、記録媒体１０７から消去されるが、ディスプレイのサイズ（画素数）にあった画像ファイルが記録媒体１０７に記録される。この記録されたデータは、先に説明した「記録媒体に記録されている画像を再生する場合の動作」のように処理により、画像データディスプレイ部１１６の画面に画像として表示され得る。このとき、画像サイズ変換部１１４は、画像サイズの変換を行わなくても良いし、行っても良い。
【００２５】
（第２実施例）
図４は、第２実施例の概略構成ブロック図を示す。４０１は撮影画像を画像信号４０２に変換し、出力するカメラ信号処理部、４０３は画像信号４０２を圧縮し、圧縮画像データ４０４を出力するデータ圧縮部、４０５は圧縮画像データ４０４、同４１９または同４２３を記録媒体４０７に記録するデータ記録処理部、４０９は記録媒体４０７からデータを再生し、再生データ４１０，４２０，４２２を出力するデータ再生処理部、４１１は、圧縮画像データ４１０，４１９を伸長するデータ伸長部、４１７はデータ４２０を外部に送信し、外部から受信したデータをデータ記録処理部４０５及びデータ伸長部４１１に供給するインターフェースである。
【００２６】
４１４は、カメラ信号処理部４０１の出力画像信号４０２及びデータ伸長部４１１から出力される画像信号４１２のサイズ（画素数）を変換する画像サイズ変換処理部、４１６は、画像サイズ変換処理部４１４から出力される画像データ４１５を画像表示する画像ディスプレイ部である。
【００２７】
４２１は、再生データ４２２から必要なデータを選択すると共に、新たに必要な情報を付加する圧縮データ再構成部である。
【００２８】
システム制御回路４３０は、ユーザによる操作スイッチ４３２の操作及び動作モードに従い、データ圧縮部４０３、データ記録処理部４０５、データ再生処理部４０９、データ伸長部４１１、画像サイズ変換処理部４１４、インターフェース４１７及び圧縮データ再構成部４２１の動作を制御する。ユーザは、操作スイッチ４３２により、システム制御回路４３０に、以下に詳細に説明する記録再生、消去及びデータ伝送の各動作を指示する。
【００２９】
ここでは、カメラ信号処理部４０１は、１２８０×１０２４画素の画像データ４０２を出力するものとする。また、画像ディスプレイ部４１６は、３６０×２４０画素の画像データを表示できるものとする。
【００３０】
この実施例では、データ圧縮部４０３は、ＭｏｔｉｏｎＪＰＥＧ２０００などのスケーラブルな圧縮符号化方法により画像データを圧縮する。そして、圧縮データ再構成部４２１は、このスケーラブル符号化により圧縮された１２８０×１０２４画素の画像データの一部を使用して、３６０×２４０画素の圧縮画像データを形成する。
【００３１】
撮影画像を記録する動作を説明する。カメラ処理部４０１は、撮影画像を１２８０×１０２４画素の画像データ４０２として出力する。画像サイズ変換処理部４１４は、画像データ４０２のサイズを画像ディスプレイ部４１６の画像サイズ（３６０×２４０画素）に変換し、画像ディスプレイ部４１６に印加する。画像ディスプレイ部４１６の画面に撮影画像が表示される。
【００３２】
データ圧縮部４０３は、画像デー４０２を圧縮し、データ記録処理部４０５は、データ圧縮部４０３による圧縮画像データ４０４を記録媒体４０７に記録する。
【００３３】
記録媒体４０７に記録されている画像を再生する動作を説明する。記録媒体４０７に記録されているデータは、データ再生処理部４０９により再生される。データ伸長部４１１は、再生データ４１０伸長し、画像データ４１２を画像サイズ変換処理部４１４に印加する。画像データ４１２の画像サイズは１２８０×１０２４画素であるとする。画像サイズ変換処理部４１４は、画像データ４１２のサイズを画像ディスプレイ部４１６の画像サイズ（３６０×２４０画素）に変換し、画像ディスプレイ部４１６に印加する。画像ディスプレイ部４１６の画面に再生画像が表示される。
【００３４】
再生データを外部に伝送する場合は、インターフェース４１７は、データ再生処理部４０９からの再生データ４２０を外部装置に出力する。
【００３５】
記録媒体４０７に記録された画像データを外部装置に伝送する場合の動作を説明する。このとき、伝送した画像データは記録媒体４０７から消去される。但し、その画像データを、画像ディスプレイ部４１６の画像サイズ３６０×２４０画素に再構成して、記録媒体４０７に記録する。図５は、その動作フローチャートを示す。
【００３６】
先ず、伝送しようとするデータを選択し（ステップ５０１）、記録媒体４０７から指定されたデータを再生する（ステップ５０２）。再生データを外部に伝送する（ステップ５０３，５０４）。このとき、同時または順次処理で、再生データを、ディスプレイサイズにあった画像サイズ（３６０×２４０画素）に再構成し（ステップ５０５）、記録媒体４０７に記録する（ステップ５０６）。そして、記録媒体４０７から指定データを消去する（ステップ５０７）。消去のタイミングは、このように最後でもいいが、装置内のメモリに再生データを読み込んでしまえば、処理の途中でもよい。
【００３７】
次に、データの流れを説明する。データ再生処理部４０９は、記録媒体４０７に記録されている指定データを再生し、再生データ４１０，４２０，４２２を出力する。再生データ４２０は、インターフェース４１７を介して外部装置に伝送される。データ伸長部４１１は、再生データ４１０を伸長し、１２８０×１０２４画素の画像データ４１２を出力する。画像サイズ変換処理部４１４は、画像データ４１２の画像サイズを３６０×２４０画素に変換して、画像データディスプレイ部４１６に印加する。画像データディスプレイ部４１６は、画像サイズ変換処理部４１４からの画像データ４１５を画像表示する。
【００３８】
圧縮データ再構成部４２１は、１２８０×１０２４画素の圧縮画像データである再生データ４２２を、３６０×２４０画素の圧縮画像データに再構成して、データ記録書リブ４０５に印加する。データ記録処理部４０５は、圧縮データ再構成部４２１からの圧縮画像データ４２３を記録媒体４０７に記録する。そして、データ記録処理部４０５は、記録媒体４０７に記録されている指定データを消去する。
【００３９】
このようにすることで、指定された画像ファイルは、記録媒体４０７から消去されるが、ディスプレイのサイズにあった画像ファイルが記録媒体４０７に記録される。この記録されたデータは、先に説明した「記録媒体に記録されている画像を再生する場合の動作」のように処理すれば、画像データディスプレイ部４１６の画面上に表示できる。このとき、画像サイズ変換部４１４は、画像サイズを変換しても、しなくても良い。
【００４０】
図６に示すフローチャートを参照して、記録媒体４０７に記録された画像データを消去する場合の動作を説明する。このとき、その画像データは、画像ディスプレイ部４１６の画像サイズ３６０×２４０画素へ再構成されて、記録媒体４０７に記録される。
【００４１】
まず、消去しようとするデータを指定し（ステップ６０１）、記録媒体４０７から指定されたデータを再生する（ステップ６０２）。再生したデータをディスプレイサイズにあった画像サイズ（３６０×２４０画素）に再構成し（ステップ６０３）、記録媒体４０７に記録する（ステップ６０４）。そして、記録媒体４０７から指定データを消去するステップ６０５）。この消去のタイミングは、このように最後でもいいが、装置内のメモリに再生データを読み込んでしまえば、処理の途中でもよい。
【００４２】
データの流れを説明する。データ再生処理部４０９は、記録媒体４０７から指定データを再生する。データ伸長部４１１は、再生データ４１０を伸長し、１２８０×１０２４画素の画像データ４１２を画像サイズ変換処理部４１４に出力する。画像サイズ変換処理部４１４は、画像データ４１２のサイズを３６０×２４０画素に変換して、画像データディスプレイ部４１６に供給する。画像データディスプレイ部４１６の画面上に再生が像が表示される。圧縮データ再構成部４２１は、１２８０×１０２４画素の圧縮画像データからなる再生データ４２２を、３６０×２４０画素の圧縮画像データに再構成して、データ記録書リブ４０５に出力する。データ記録処理部４０５は、圧縮データ再厚生部４２１からのデータ４２３を記録媒体４０７に記録する。そして、データ記録処理部４０５は、記録媒体４０７から指定データを消去する。
【００４３】
このようにすることで、指定された画像ファイルは、記録媒体４０７から消去され、ディスプレイのサイズにあった画像ファイルが記録媒体４０７に記録される。この記録されたデータは、先に説明した「記録媒体に記録されている画像を再生する場合の動作」のように処理すれば、画像データディスプレイ部４１６により画像表示できる。このとき、画像サイズ変換部４１４は、画像サイズを変換しても、しなくてもよい。
【００４４】
【発明の効果】
以上の説明から容易に理解できるように、本発明によれば、使用中の記録媒体の画像ファイルを消去した場合にも、その装置のディスプレイに合った画像サイズの画像ファイルが保存されるので、装置のディスプレイに見合った画質で画像を見ることができる。また、その画像ファイルのサイズは、もとの画像ファイルのサイズよりも十分小さいので、記録媒体の容量をあまり消費することがなく、新しい画像ファイルを記録することの弊害にはなりにくい。
【図面の簡単な説明】
【図１】本発明の第１実施例の概略構成ブロック図である。
【図２】第１実施例の外部伝送時の動作フローチャートである。
【図３】第１実施例の消去時の動作フローチャートである。
【図４】本発明の第２実施例の概略構成ブロック図である。
【図５】第２実施例の外部伝送時の動作フローチャートである。
【図６】第２実施例の消去時の動作フローチャートである。
【符号の説明】
１０１：カメラ信号処理部
１０３：データ圧縮部
１０５：データ記録処理部
１０７：記録媒体
１０９：データ再生処理部
１１１：データ伸長部
１１４：画像サイズ変換処理部
１１６：画像データディスプレイ部
１１７：インターフェース
１２２：システム制御回路
１２４：操作スイッチ
４０１：カメラ信号処理部
４０３：データ圧縮部
４０５：データ記録処理部
４０７：記録媒体
４０９：データ再生処理部
４１１：データ伸長部
４１４：画像サイズ変換処理部
４１６：画像データディスプレイ部
４１７：インターフェース
４２１：圧縮データ再構成部
４３０：システム制御回路
４３２：操作スイッチ
【図１】
2004088455.tif 000003
【図２】
2004088455.tif 000004
【図３】
2004088455.tif 000005
【図４】
2004088455.tif 000006
【図５】
2004088455.tif 000007
【図６】
2004088455.tif 000008